(57)【特許請求の範囲】
【請求項１】
表示画面を有した表示装置と、
前記表示装置を収容する筐体であって、前記表示画面が露出した第一壁と、前記第一壁の前記表示画面と交差した第一方向に離間して位置された第二壁と、前記第一壁と前記第二壁との間に亘るとともに通気口が設けられた第三壁と、前記通気口の少なくとも前記第一方向の内面に設けられ、前記第一方向と直交する方向に前記表示装置から離れるにつれて前記第一方向に向かうように前記第二壁の面に対して傾斜した第一傾斜面と、前記通気口の前記第一方向の反対方向の内面に設けられ、前記第一方向と直交する前記方向に前記表示装置から離れるにつれて前記第一方向に向かうように前記第二壁の面に対して傾斜した第二傾斜面と、を有した筐体と、
を備えた、電子機器。
【請求項２】
前記筐体は、前記第一傾斜面よりも前記表示装置側に位置され、前記通気口の前記第一方向の内面から前記第一方向の反対方向に延びた第一リブを有した、請求項１に記載の電子機器。
【請求項３】
前記第二傾斜面と前記第三壁の外面との間の角部は、前記第一傾斜面が鉛直方向と直交する場合に、前記第一傾斜面または前記第一リブの外側面と前記鉛直方向に並ぶ、請求項２に記載の電子機器。
【請求項４】
少なくとも前記第一傾斜面の前記第二壁の面に対する傾斜角度は、１５°以上である、請求項１〜３のうちいずれか一つに記載の電子機器。
【請求項５】
前記筐体に収容され、発熱体を冷却する空気流を生成するファンを備え、
前記通気口は、前記空気流の排気口または吸気口である、請求項１〜４のうちいずれか一つに記載の電子機器。
【請求項６】
前記発熱体は、前記通気口に向けて延びるとともに当該通気口に対して前記表示装置側に離れて位置されたヒートシンクである、請求項５に記載の電子機器。
【請求項７】
前記第二壁には、前記通気口と前記第三壁と交差した第二方向に並んで排水口が設けられた、請求項１〜６のうちいずれか一つに記載の電子機器。
【請求項８】
前記筐体は、前記第三壁から前記表示装置に向かう方向において前記排水口よりも前記表示装置側に位置され、前記第二壁から前記第一方向の反対方向に延びた第二リブを有した、請求項７に記載の電子機器。
【発明の詳細な説明】
【技術分野】
【０００１】
本発明は、電子機器に関する。
【背景技術】
【０００２】
従来、通気口が設けられた壁を有した筐体と、通気口から筐体内への水の浸入を抑制する防水部材と、を備えた電子機器が、知られている（例えば、特許文献１参照）。
【先行技術文献】
【特許文献】
【０００３】
【特許文献１】特開２０１９−０７５４９９号公報
【発明の概要】
【発明が解決しようとする課題】
【０００４】
この種の電子機器では、例えば、通気口から筐体内への水の浸入を防水部材やシール部材等を追加することなく簡易的に抑制することが可能な新規な構成が得られれば、有益である。
【０００５】
そこで、本発明の課題の一つは、通気口から筐体内への水の浸入を簡易的に抑制することが可能な新規な構成の電子機器を得ることである。
【課題を解決するための手段】
【０００６】
本発明の第一態様にかかる電子機器は、表示画面を有した表示装置と、前記表示装置を収容する筐体であって、前記表示画面が露出した第一壁と、前記第一壁の前記表示画面と交差した第一方向に離間して位置された第二壁と、前記第一壁と前記第二壁との間に亘るとともに通気口が設けられた第三壁と、前記通気口の少なくとも前記第一方向の内面に設けられ、前記第一方向と直交する方向に前記表示装置から離れるにつれて前記第一方向に向かうように前記第二壁の面に対して傾斜した第一傾斜面と、前記通気口の前記第一方向の反対方向の内面に設けられ、前記第一方向と直交する前記方向に前記表示装置から離れるにつれて前記第一方向に向かうように前記第二壁の面に対して傾斜した第二傾斜面と、を有した筐体と、を備える。
【０００７】
また、前記筐体は、前記第一傾斜面よりも前記表示装置側に位置され、前記通気口の前記第一方向の内面から前記第一方向の反対方向に延びた第一リブを有している。
【０００９】
また、前記第二傾斜面と前記第三壁の外面との間の角部は、前記第一傾斜面が鉛直方向と直交する場合に、前記第一傾斜面または前記第一リブの外側面と前記鉛直方向に並ぶ。
【００１０】
また、少なくとも前記第一傾斜面の前記第二壁の面に対する傾斜角度は、１５°以上である。
【００１１】
また、前記筐体に収容され、発熱体を冷却する空気流を生成するファンを備え、前記通気口は、前記空気流の排気口または吸気口である。
【００１２】
また、前記発熱体は、前記通気口に向けて延びるとともに当該通気口に対して前記表示装置側に離れて位置されたヒートシンクである。
【００１３】
また、前記第二壁には、前記通気口と前記第三壁と交差した第二方向に並んで排水口が設けられる。
【００１４】
また、前記筐体は、前記第三壁から前記表示装置に向かう方向において前記排水口よりも前記表示装置側に位置され、前記第二壁から前記第一方向の反対方向に延びた第二リブを有している。 
【発明の効果】
【００１５】
本発明の上記態様によれば、通気口から筐体内への水の浸入を防水部材やシール部材等を追加することなく簡易的に抑制することが可能な新規な構成の電子機器を得ることができる。
【図面の簡単な説明】
【００１６】
【図１】図１は、実施形態の電子機器の正面側からの例示的な斜視図である。
【図２】図２は、実施形態の電子機器の背面側からの例示的な斜視図である。
【図３】図３は、実施形態の電子機器の例示的な分解斜視図である。
【図４】図４は、実施形態の電子機器の例示的な断面図である。
【図５】図５は、図４の通気口の近傍の拡大図であって、筐体が設置面に対して平行な状態を示した図である。
【図６】図６は、図５の通気口の近傍の拡大図であって、筐体が設置面に対して所定角度傾いた状態を示した図である。
【発明を実施するための形態】
【００１７】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１８】
なお、本明細書では、序数は、部品や、部材、部位、位置、方向等を区別するためだけに用いられており、順番や優先度を示すものではない。
【００１９】
［実施形態］
図１は、実施形態の電子機器１の正面側からの斜視図であり、図２は、電子機器１の背面側からの斜視図である。なお、以下の説明では、便宜上、互いに直交する三方向が定義されている。Ｘ方向は、電子機器１（表示装置３）の厚さ方向（前後方向）に沿い、Ｙ方向は、電子機器１の横幅方向（左右方向、長手方向）に沿い、Ｚ方向は、電子機器１の縦幅方向（上下方向、短手方向）に沿う。
【００２０】
Ｘ方向は、表示装置３の表示画面３ａと交差した第一方向の一例である。また、以下の説明では、便宜上、Ｘ方向は後方と称され、Ｘ方向の反対方向は前方と称され、Ｙ方向は左方と称され、Ｙ方向の反対方向は右方と称され、Ｚ方向は上方と称され、Ｚ方向の反対方向は下方と称される場合がある。
【００２１】
図１および図２に示されるように、電子機器１は、例えば、タブレット型のパーソナルコンピュータとして構成されている。電子機器１は、筐体２と、表示装置３と、タッチパネル４と、内部部品５と、弾性体６と、を備えている。なお、電子機器１は、この例には限定されず、例えば、スマートフォンや、携帯電話、ゲーム機等であってもよい。電子機器１は、携帯型情報機器等とも称される。
【００２２】
筐体２は、例えば、表示画面３ａが露出する前面２ａ１と、前面２ａ１とは反対側を向いた後面２ｂ１と、を有する。表示装置３は、表示画面３ａが前方から視認可能な状態に、筐体２に支持されている。また、前面２ａ１の一部および表示画面３ａは、タッチパネル４の透明部によって覆われている。
【００２３】
筐体２は、例えば、Ｘ方向に扁平な直方体状の箱型に構成されている。筐体２は、前壁２ａや、後壁２ｂ、左壁２ｃ、上壁２ｄ、右壁２ｅ、下壁２ｆ等の複数の壁を有している。左壁２ｃ、上壁２ｄ、右壁２ｅ、および下壁２ｆは、側壁や、周壁、立壁等とも称される。
【００２４】
前壁２ａは、表示装置３の表示画面３ａが露出する四角形状の枠状に構成されている。前壁２ａは、前面２ａ１を含み、筐体２の前端部を構成している。前壁２ａは、第一壁の一例である。
【００２５】
後壁２ｂは、Ｘ方向と直交する方向（ＹＺ平面）に沿って延びた四角形状の板状に構成され、前壁２ａのＸ方向に離間して位置されている。後壁２ｂは、後面２ｂ１を含み、筐体２の後端部を構成している。後壁２ｂは、第二壁の一例である。
【００２６】
左壁２ｃおよび右壁２ｅは、いずれも、Ｙ方向と直交する方向（ＸＺ平面）に沿って延びており、Ｙ方向に間隔をあけて互いに平行に設けられている。左壁２ｃは、前壁２ａおよび後壁２ｂのＹ方向の端部の間に亘り、右壁２ｅは、前壁２ａおよび後壁２ｂのＹ方向の反対方向の端部の間に亘っている。左壁２ｃには、後述する通気口７が設けられている。左壁２ｃは、筐体２の左端部を構成し、右壁２ｅは、筐体２の右端部を構成している。
【００２７】
上壁２ｄおよび下壁２ｆは、いずれも、Ｚ方向と直交する方向（ＸＹ平面）に沿って延びており、Ｚ方向に間隔をあけて互いに平行に設けられている。上壁２ｄは、前壁２ａおよび後壁２ｂのＺ方向の端部の間に亘り、下壁２ｆは、前壁２ａおよび後壁２ｂのＺ方向の反対方向の端部の間に亘っている。上壁２ｄは、筐体２の上端部を構成し、下壁２ｆは、筐体２の下端部を構成している。
【００２８】
また、筐体２には、四つの角部２ｈ〜２ｋが設けられている。角部２ｈは、左壁２ｃと上壁２ｄとの交差部によって構成され、角部２ｉは、上壁２ｄと右壁２ｅとの交差部によって構成されている。また、角部２ｊは、右壁２ｅと下壁２ｆとの交差部によって構成され、角部２ｋは、下壁２ｆと左壁２ｃとの交差部によって構成されている。各角部２ｈ〜２ｋは、角丸（角Ｒ）状に構成され、弾性体６によって覆われている。
【００２９】
弾性体６は、例えば、エラストマやゴム等によって構成されている。弾性体６は、電子機器１が置かれる設置面１００と筐体２との干渉を抑制する機能や、筐体２が設置面１００に対して滑ったりがたついたりするのを抑制する機能、筐体２の角部２ｈ〜２ｋを保護する機能等を有している。弾性体６は、保護部材（コーナーガード）や、滑り止め部材、ゴム脚等とも称される。
【００３０】
図３は、電子機器１の分解斜視図である。図３に示されるように、筐体２は、例えば、フロントカバー２１や、リヤカバー２２等のような複数の部品（分割体）の組み合わせによって構成されている。フロントカバー２１およびリヤカバー２２は、互いにＸ方向に並んでいる。
【００３１】
リヤカバー２２は、例えば、後壁２ｂと、左壁２ｃ、上壁２ｄ、右壁２ｅ、および下壁２ｆのそれぞれの一部と、を有している。リヤカバー２２とフロントカバー２１との間には、複数の内部部品５や、表示装置３等が収容されている。フロントカバー２１およびリヤカバー２２は、合成樹脂材料等によって作られる。
【００３２】
フロントカバー２１は、例えば、前壁２ａと、左壁２ｃ、上壁２ｄ、右壁２ｅ、および下壁２ｆのそれぞれの一部と、を有している。フロントカバー２１は、リヤカバー２２に対して、爪による所謂スナップフィットや、ネジ等の結合具によって結合（一体化）される。
【００３３】
表示装置３は、例えば、液晶ディスプレイ（ＬＣＤ，Liquid  Crystal  Display）である。表示装置３は、Ｘ方向に扁平な直方体状に構成されている。なお、表示装置３は、この例には限定されず、例えば、有機ＥＬディスプレイ（ＯＥＬＤ，Organic  Electro-Luminescent  Display）等であってもよい。また、タッチパネル４は、例えば、表示装置３内に組み込まれた所謂インセルタッチパネルとして構成されてもよい。
【００３４】
内部部品５は、例えば、基板１１や、ファン１２、ヒートシンク１３、ヒートパイプ１４等である。基板１１には、ＣＰＵ（Central  Processing  Unit）や、ＲＯＭ（Read  Only  Memory）、ＲＡＭ（Random  Access  Memory）等の複数の電子部品が実装されている。基板１１内の配線とこれら複数の電子部品とによって、電子機器１の制御回路の少なくとも一部が構成されている。
【００３５】
図４は、電子機器１の断面図である。図４に示されるように、ファン１２は、例えば、Ｘ方向に沿って延びる回転中心Ａｘ１回りに回転可能な遠心ファンであり、ケーシング１２ａと、ブレード１２ｂと、を有している。ケーシング１２ａには、吸入口１２ｃと、排出口１２ｄ（図３参照）と、が設けられている。
【００３６】
ブレード１２ｂは、ケーシング１２ａ内に収容されている。ファン１２は、ブレード１２ｂの回転中心Ａｘ１回りの回転により、吸入口１２ｃからケーシング１２ａ内に吸入され、排出口１２ｄからケーシング１２ａ外に排出される空気流Ｗを生成する。ファン１２は、シロッコファンや、ブロアファン等とも称される。
【００３７】
ヒートシンク１３は、ファン１２の排出口１２ｄに対向して位置されている。ヒートシンク１３は、例えば、一対のプレート１３ａや、複数のフィン１３ｂ等を有している。一対のプレート１３ａは、Ｘ方向に互いに間隔をあけて略平行に設けられている。一対のプレート１３ａは、排出口１２ｄから左壁２ｃの通気口７に向かってＹ方向に延びている。
【００３８】
複数のフィン１３ｂは、互いにＺ方向に間隔をあけて並んでいる。複数のフィン１３ｂは、それぞれ、一対のプレート１３ａの間に亘るようにＸ方向およびＹ方向に延びている。フィン１３ｂは、放熱部等とも称される。
【００３９】
ヒートシンク１３は、複数のフィン１３ｂと当該フィン１３ｂ間を流れるファン１２の空気流Ｗとの熱交換によってヒートパイプ１４や、当該ヒートパイプ１４と熱的に接続されたＣＰＵ等の基板１１の発熱部品を冷却可能である。ヒートシンク１３は、アルミニウム等の金属材料によって作られる。
【００４０】
ヒートパイプ１４は、ヒートシンク１３とＸ方向に重なって位置されている。ヒートパイプ１４は、グリス等の熱伝導部材を介してヒートシンク１３と熱的に接続されている。ヒートパイプ１４は、ヒートシンク１３や、ファン１２の排出口１２ｄ（図３参照）、左壁２ｃの通気口７に沿ってＺ方向に細長く延びている。
【００４１】
図５および図６は、図４の通気口７の近傍の拡大図であって、図５は、筐体２が設置面１００に対して平行な状態（姿勢）を示した図であり、図６は、筐体２が設置面１００に対して所定角度傾いた状態（姿勢）を示した図である。なお、図６には、設置面１００に対して垂直な方向が矢印Ｖで示される。Ｖ方向は、鉛直方向の一例である。また、左壁２ｃは、第三壁の一例であり、Ｙ方向は、左壁２ｃと交差した第二方向の一例である。
【００４２】
図３および図５に示されるように、通気口７は、例えば、左壁２ｃをＹ方向に貫通する複数の小孔が集まった部分として構成されている。通気口７は、ヒートシンク１３と熱交換を行ったファン１２の空気流Ｗを筐体２外に排出可能である。言い換えると、通気口７は、ファン１２の排気口として機能する。なお、通気口７は、この例には限定されず、例えば、ファン１２の吸気口として機能するように構成されてもよい。
【００４３】
図５に示されるように、通気口７のＸ方向に互いに対向する一対の内面７ａ，７ｂには、それぞれ傾斜面７ｃ，７ｄが設けられている。傾斜面７ｃ，７ｄは、表示装置３から離れるＹ方向に向かうにつれてＸ方向に向かうように傾斜している。すなわち、傾斜面７ｃ，７ｄは、設置面１００および後壁２ｂの後面２ｂ１に対して傾斜している。後面２ｂ１は、面の一例である。
【００４４】
また、本実施形態では、傾斜面７ｃ，７ｄの後面２ｂ１に対する傾斜角度は、１５°以上に設定されている。具体的には、傾斜面７ｃ，７ｄの傾斜角度は、ＩＥＣ規格のＩＰＸ２（垂直より左右１５°以内からの降雨によって有害な影響を受けない）に対応して１５°に設定されている。
【００４５】
よって、筐体２を設置面１００に対して１５°未満で傾けた場合（図６）には、傾斜面７ｃ，７ｄが設置面１００に対して傾斜するため、傾斜面７ｃ，７ｄによる水の排出効果、すなわち筐体２内への水の浸入の抑制効果を高めることができる。
【００４６】
なお、傾斜面７ｃ，７ｄの傾斜角度は、この例には限定されず、例えば、１５°よりもやや大きい角度（例えば、１６°〜２０°）に設定されてもよい。また、傾斜面７ｄの傾斜角度は、傾斜面７ｃの傾斜角度と同じではなく、異なる角度に設定されてもよい。
【００４７】
また、傾斜角度は、ＩＥＣ規格のＩＰＸ２（垂直より左右１５°以内からの降雨によって有害な影響を受けない）に対応する１５°には限定されず、例えば、ＩＰＸ３（垂直より左右６０°以内からの降雨によって有害な影響を受けない）に対応する６０°に設定されてもよい。
【００４８】
また、図５に示されるように、通気口７の内面７ａには、リブ８が設けられている。リブ８は、通気口７における表示装置３側（下流側）の端部に位置されている。すなわち、リブ８は、傾斜面７ｃよりも表示装置３側に位置され、内面７ａからＸ方向の反対方向に延びている。リブ８のＹ方向の外側面８ａと傾斜面７ｃとの間には、水を入り難くする段差が形成されている。リブ８は、第一リブの一例である。
【００４９】
また、傾斜面７ｄと左壁２ｃの外面２ｃ１との間には、凸状の角部７ｅが設けられている。角部７ｅは、通気口７における表示装置３とは反対側（上流側）の端部に位置されている。すなわち、角部７ｅは、傾斜面７ｄよりも表示装置３とは反対側に位置され、内面７ｂからＸ方向に突出している。角部７ｅは、通気口７のＸ方向の開口幅を狭め、水を入り難くしている。
【００５０】
そして、本実施形態では、角部７ｅは、傾斜面７ｃがＶ方向と直交する場合、すなわち傾斜面７ｃが設置面１００と平行な状態で、傾斜面７ｃまたはリブ８の外側面８ａとＶ方向に並ぶよう構成されている。これにより、雨水等が左壁２ｃの外面２ｃ１を伝って角部７ｅから落下した場合に、当該雨水等が傾斜面７ｃ上またはリブ８の外側面８ａ上に落ちるため、水の浸入の抑制効果をより高めることができる。角部７ｅは、縁部や、端部、突出部等とも称される。
【００５１】
また、図５および図６に示されるように、後壁２ｂには、排水口９が設けられている。排水口９は、後壁２ｂをＸ方向に貫通するとともに、通気口７に沿ってＺ方向に細長く延びている。すなわち、排水口９は、通気口７とＹ方向に並んでいる。排水口９は、通気口７と近接（隣接）して設けられており、通気口７から筐体２内に浸入した水を筐体２外に排出可能である。
【００５２】
また、後壁２ｂには、通気口７および排水口９とＹ方向に並んでリブ１０が設けられている。リブ１０は、排水口９よりも表示装置３側、すなわちＹ方向の反対方向に位置され、後壁２ｂからＸ方向の反対方向に延びている。リブ１０のＹ方向の外側面と後壁２ｂの内面との間には、水を入り難くする段差が形成されている。リブ１０は、第二リブの一例である。
【００５３】
また、ヒートシンク１３のプレート１３ａには、傾斜部１３ａ１が設けられている。傾斜部１３ａ１は、Ｙ方向に向かうにつれてＸ方向の反対方向、すなわち通気口７（左壁２ｃ）のＸ方向の中央部に向かうように傾斜している。傾斜部１３ａ１は、ファン１２の空気流Ｗを通気口７のＸ方向の中央部に向けてガイドしている。
【００５４】
ここで、本実施形態では、傾斜部１３ａ１のＹ方向の先端部は、通気口７に対して表示装置３側に離れて位置されている。仮に、傾斜部１３ａ１のＹ方向の先端部が通気口７内に位置されると、通気口７から筐体２内に水が浸入した場合に、当該水が傾斜部１３ａ１によってファン１２に向けてガイドされてしまう虞がある。
【００５５】
その点、本実施形態によれば、傾斜部１３ａ１のＹ方向の先端部が通気口７から離れているため、仮に通気口７から筐体２内に水が浸入したとしても、当該水が傾斜部１３ａ１と左壁２ｃや後壁２ｂとの間の隙間を通過し、ひいては後壁２ｂの排水口９から筐体２の外側に排出することができる。
【００５６】
以上のように、本実施形態では、電子機器１は、表示画面３ａを有した表示装置３と、表示装置３を収容する筐体２であって、表示画面３ａが露出した前壁２ａ（第一壁）と、前壁２ａの表示画面３ａと交差したＸ方向（第一方向）に離間して位置された後壁２ｂ（第二壁）と、前壁２ａと後壁２ｂとの間に亘るとともに通気口７が設けられた左壁２ｃ（第三壁）と、通気口７の少なくともＸ方向の内面７ａに設けられ表示装置３から離れるにつれてＸ方向に向かうように後壁２ｂの後面２ｂ１（面）に対して傾斜した傾斜面７ｃ（第一傾斜面）と、を有した筐体２と、を備える。
【００５７】
このような構成によれば、例えば、傾斜面７ｃによって通気口７から筐体２内への水の浸入を防水部材やシール部材等を追加することなく簡易的に抑制することができる。その結果、例えば、電子機器１の製造（組立やメンテナンス等）に要する手間やコスト等が低減されやすく、ひいてはＩＥＣ規格の所定の防滴構造を有したより簡素な構成の電子機器１が得られうる。
【００５８】
また、本実施形態では、筐体２は、傾斜面７ｃよりも表示装置３側に位置され、通気口７のＸ方向の内面７ａからＸ方向の反対方向に延びたリブ８（第一リブ）を有している。
【００５９】
このような構成によれば、例えば、リブ８によって通気口７の表示装置３側（下流側）におけるＸ方向の開口幅を狭めることができたり、傾斜面７ｃとリブ８の外側面８ａとの間に水を入り難くする段差を形成できたりする。よって、例えば、通気口７から筐体２内への水の浸入がより抑制されやすい。
【００６０】
また、本実施形態では、筐体２は、通気口７のＸ方向の反対方向の内面７ｂに設けられ表示装置３から離れるにつれてＸ方向に向かうように後壁２ｂの後面２ｂ１に対して傾斜した傾斜面７ｄ（第二傾斜面）を有している。
【００６１】
このような構成によれば、例えば、傾斜面７ｄによって通気口７の表示装置３とは反対側（上流側）におけるＸ方向の開口幅を狭めることができたり、傾斜面７ｄと左壁２ｃの外面２ｃ１との間に水を入り難くする凸状の角部７ｅを形成できたりする。よって、例えば、通気口７から筐体２内への水の浸入がより一層抑制されやすい。
【００６２】
また、本実施形態では、傾斜面７ｄと左壁２ｃの外面２ｃ１との間の角部７ｅは、傾斜面７ｃがＶ方向（鉛直方向）と直交する場合に、傾斜面７ｃまたはリブ８の外側面８ａとＶ方向に並ぶ。
【００６３】
このような構成によれば、例えば、雨水等が左壁２ｃの外面２ｃ１を伝って角部７ｅから落下した場合に、当該雨水等が傾斜面７ｃ上またはリブ８の外側面８ａ上に落ちるため、筐体２内への水の浸入の抑制効果がより高まりやすい。
【００６４】
また、本実施形態では、傾斜面７ｃ，７ｄの後壁２ｂの後面２ｂ１に対する傾斜角度は、１５°以上である。
【００６５】
このような構成によれば、例えば、傾斜面７ｃ，７ｄによってＩＥＣ規格のＩＰＸ２（垂直より左右１５°以内からの降雨によって有害な影響を受けない）以上を満たすことができる。
【００６６】
また、本実施形態では、筐体２に収容され、ヒートシンク１３（発熱体）を冷却する空気流Ｗを生成するファン１２を備え、通気口７は、空気流Ｗの排気口または吸気口である。
【００６７】
このような構成によれば、例えば、ファン１２の排気口または吸気口として機能する通気口７における水の浸入を抑制することができ、ひいては当該水の浸入によって生じるファン１２への影響を抑制することができる。
【００６８】
また、本実施形態では、発熱体としてのヒートシンク１３は、通気口７に向けて延びるとともに当該通気口７に対して表示装置３側に離れて位置されている。
【００６９】
このような構成によれば、例えば、ヒートシンク１３の表面積を確保して冷却効果（放熱効果）をより高めることができつつ、通気口７から筐体２内に浸入した水がヒートシンク１３によってファン１２に向けてガイドされるといった不都合を抑制できる。
【００７０】
また、本実施形態では、後壁２ｂには、通気口７とＹ方向（第二方向）に並んで排水口９が設けられている。
【００７１】
このような構成によれば、例えば、排水口９によって通気口７から筐体２内に浸入した水を筐体２の外側に排出することができるため、水の浸入によって生じるファン１２や基板１１に実装された電子部品等への影響がより抑制されやすい。
【００７２】
また、本実施形態では、筐体２は、排水口９よりも表示装置３側に位置され、後壁２ｂからＸ方向の反対方向に延びたリブ１０（第二リブ）を有している。
【００７３】
このような構成によれば、例えば、リブ１０と後壁２ｂとの間に水を入り難くする段差を形成することができるため、リブ１０よりも筐体２の内側への水の浸入がより抑制されやすい。
【００７４】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７５】
１…電子機器、２…筐体、２ａ…前壁（第一壁）、２ｂ…後壁（第二壁）、２ｂ１…後面（面）、２ｃ…左壁（第三壁）、２ｃ１…外面、３…表示装置、３ａ…表示画面、７…通気口、７ａ，７ｂ…内面、７ｃ…傾斜面（第一傾斜面）、７ｄ…傾斜面（第二傾斜面）７ｅ…角部、８…リブ（第一リブ）、８ａ…外側面、９…排水口、１０…リブ（第二リブ）、１２…ファン、１３…ヒートシンク（発熱体）、Ｖ…鉛直方向、Ｗ…空気流、Ｘ…第一方向、Ｙ…第二方向。
【要約】
【課題】通気口から筐体内への水の浸入を防水部材やシール部材等を追加することなく簡易的に抑制することが可能な新規な構成の電子機器を得る。
【解決手段】電子機器１は、例えば、表示画面３ａを有した表示装置３と、表示装置３を収容する筐体２であって、表示画面３ａが露出した前壁２ａ（第一壁）と、前壁２ａの表示画面３ａと交差したＸ方向（第一方向）に離間して位置された後壁２ｂ（第二壁）と、前壁２ａと後壁２ｂとの間に亘るとともに通気口７が設けられた左壁２ｃ（第三壁）と、通気口７の少なくともＸ方向の内面７ａに設けられ表示装置３から離れるにつれてＸ方向に向かうように後壁２ｂの後面２ｂ１（面）に対して傾斜した傾斜面７ｃ（第一傾斜面）と、を有した筐体２と、を備える。
【選択図】図６【図１】
0006839372.tif 000002
【図２】
0006839372.tif 000003
【図３】
0006839372.tif 000004
【図４】
0006839372.tif 000005
【図５】
0006839372.tif 000006
【図６】
0006839372.tif 000007